(57)【特許請求の範囲】
【請求項１】
近接通信と無線ＬＡＮ通信との通信方式を有する無線通信装置間を通信する通信システであって、
自身の第二の無線通信装置を識別するための識別情報を前記近接通信により送信し、自身の前記識別情報が含まれた前記無線ＬＡＮ通信の管理フレームを受信し、自身の前記識別情報を受けたことを示す識別情報受信情報を含んだ前記管理フレームを送信し、前記無線ＬＡＮ通信のデータフレームの送受信を行うために必要なパラメータを含む設定情報に対して行われた所定の演算の演算結果を含んだ前記管理フレームを受信し、この受信した演算結果を前記所定の演算の逆演算により戻して前記設定情報を取得しこの取得した前記設定情報を自身の第二の無線通信装置に設定する第二の無線通信装置と、
前記第二の無線通信装置から前記識別情報を前記近接通信により受信し、この受信した前記識別情報を含んだ前記管理フレームを送信し、前記識別情報受信情報が含まれた前記管理フレームを受信し、予め備えた前記設定情報に対して前記所定の演算を行いこの前記演算結果を前記管理フレームに含めて送信する第一の無線通信装置と、
を備えたことを特徴とする通信システム。
【請求項２】
前記所定の演算ｆ１は、前記識別情報を用いて前記設定情報を変形させる演算、すなわち、Ｆ１ｒ＝ｆ１（ａ１、ｂ１）（但し、Ｆ１ｒは演算結果、ａ１は設定情報、ｂ１は識別情報）であり、
前記所定の演算の逆演算ｆ１ｉは、前記所定の演算の前記演算結果から前記識別情報を用いて前記変形された前記設定情報を元に戻す演算、すなわち、ａ１＝ｆ１ｉ（Ｆ１ｒ、ｂ１）である、
ことを特徴とする請求項１記載の通信システム。
【請求項３】
前記第一の無線通信装置は、前記設定情報に対する前記演算結果を前記第二の無線通信装置に送信した後に、前記第二の無線通信装置から、前記近接通信により、前記第二の無線通信装置の前記識別情報を受信した場合、この受信の後から、前記第二の無線通信装置以外の他の無線通信装置から、前記近接通信により、前記他の無線通信装置の前記識別情報の受信を受け付ける、
ことを特徴とする請求項１又は２記載の通信システム。
【請求項４】
前記識別情報は、第一の識別情報と第二の識別情報であり、
前記第二の無線通信装置は、前記第一の識別情報と前記第二の識別情報とを前記近接通信により送信し、自身の前記第一の識別情報が含まれた前記無線ＬＡＮ通信の管理フレームを受信し、自身の前記第一の識別情報を受けたことを示す識別情報受信情報を含んだ前記管理フレームを送信し、前記第一の識別情報と前記第二の識別情報とを用いて所定の第一の演算を行いこの第一の演算結果を格納し、前記第一の演算結果を含んだ前記管理フレームを受信し、この受信した前記第一の演算結果と、前記格納した前記第一の演算結果とが一致する場合、一致したことを示す一致情報を含んだ前記管理フレームを送信し、前記設定情報に対して行われた所定の第二の演算の第二の演算結果を含んだ前記管理フレームを受信し、この受信した前記第二の演算結果を前記所定の第二の演算の逆演算により戻して前記設定情報を取得しこの取得した前記設定情報を自身の第二の無線通信装置に設定し、
前記第一の無線通信装置は、前記第二の無線通信装置から前記第一の識別情報と前記第二の識別情報とを前記近接通信により受信し、この受信した前記第一の識別情報を含んだ前記管理フレームを送信し、前記識別情報受信情報が含まれた前記管理フレームを受信し、前記第一の識別情報と前記第二の識別情報とにより所定の前記第一の演算を行い、この前記第一の演算結果を含んだ前記管理フレームを送信し、前記一致情報が含まれた前記管理フレームを受信し、予め備えた前記設定情報に対して所定の前記第二の演算を行いこの前記第二の演算結果を含んだ前記管理フレームを送信する、
ことを特徴とする請求項１に記載の通信システム。
【請求項５】
前記所定の第一の演算ｆ２は、前記第二の識別情報を用いて前記第一の識別情報を変形させる演算、すなわち、Ｆ２ｒ＝ｆ２（ａ２、ｂ２）（但し、Ｆ２ｒは第一の演算結果、ａ２は第一の識別情報、ｂ２は第二の識別情報）であり、
前記所定の第二の演算ｆ３は、前記第一の識別情報と前記第二の識別情報を用いて前記設定情報を変形させる演算、すなわち、Ｆ３ｒ＝ｆ３（ａ３、ｂ３、ｃ３）（但し、Ｆ３ｒは第二の演算結果、ａ３は設定情報、ｂ３は第一の識別情報、ｃ３は第二の識別情報、）であり、
前記所定の第二の演算の逆演算ｆ３ｉは、前記第二の演算結果から前記第一の識別情報と前記第二の識別情報を用いて、前記変形された前記設定情報を元に戻す演算、すなわち、ａ３＝ｆ３ｉ（Ｆ３ｒ、ｂ３、ｃ３）である、
ことを特徴とする請求項４記載の通信システム。
【請求項６】
前記第一の無線通信装置は、前記設定情報に対する前記第二の演算結果を前記第二の無線通信装置に送信した後に、前記第二の無線通信装置から、前記近接通信により、前記第二の無線通信装置の前記第一の識別情報と前記第二の識別情報を受信した場合、この受信の後から、前記第二の無線通信装置以外の他の無線通信装置から、前記近接通信により、前記他の無線通信装置の前記第一の識別情報と前記第二の識別情報の受信を受け付ける、
ことを特徴とする請求項４又は５記載の通信システム。
【請求項７】
前記第二の無線通信装置は、自身の第二の無線通信装置を識別するための前記識別情報とランダムに発生させたランダムナンバーとを前記第一の無線通信装置に前記近接通信により送信し、自身の前記識別情報が含まれた前記無線ＬＡＮ通信の管理フレームを受信し、自身の前記識別情報を受けたことを示す識別情報受信情報を含んだ前記管理フレームを送信し、前記ランダムナンバーに対して行われた所定の第一の演算の第一の演算結果を含んだ前記管理フレームを受信し、この受信した前記第一の演算結果を前記所定の第一の演算の逆演算により戻して前記ランダムナンバーを取得しこの取得した前記ランダムナンバーを含んだ前記管理フレームを送信し、前記設定情報に対して行われた所定の第二の演算の第二の演算結果を含んだ前記管理フレームを受信し、この受信した第二の演算結果を前記所定の第二の演算の逆演算により戻して前記設定情報を取得しこの取得した前記設定情報を自身の第二の無線通信装置に設定し、
前記第一の無線通信装置は、前記第二の無線通信装置から前記識別情報と前記ランダムナンバーとを前記近接通信により受信し、この受信した前記識別情報を含んだ前記管理フレームを送信し、前記識別情報受信情報が含まれた前記管理フレームを受信し、前記ランダムナンバーに対して前記所定の第一の演算を行いこの前記第一の演算結果を含んだ前記管理フレームを送信し、前記ランダムナンバーが含まれた前記管理フレームを受信し、この受信した前記ランダムナンバーと前記近接通信により受信した前記ランダムナンバーとが一致する場合、予め備えた前記設定情報に対して前記所定の第二の演算を行いこの第二の演算結果を含んだ前記管理フレームを送信する、
ことを特徴とする請求項１に記載の通信システム。
【請求項８】
前記所定の第一の演算ｆ４は、前記識別情報を用いて前記ランダムナンバーを変形させる演算、すなわち、Ｆ４ｒ＝ｆ４（ａ４、ｂ４）（但し、Ｆ４ｒは第一の演算結果、ａ４はランダムナンバー、ｂ４は識別情報）であり、
前記所定の第一の演算の逆演算ｆ４ｉは、前記第一の演算結果から前記識別情報を用いて、前記変形された前記ランダムナンバーを元に戻す演算、すなわち、ａ４＝ｆ４ｉ（Ｆ４ｒ、ｂ４）であり、
前記所定の第二の演算ｆ５は、前記識別情報と前記ランダムナンバーを用いて前記設定情報を変形させる演算、すなわち、Ｆ５ｒ＝ｆ５（ａ５、ｂ５、ｃ５）（但し、Ｆ５ｒは第二の演算結果、ａ５は設定情報、ｂ５は識別情報、ｃ５はランダムナンバー）であり、
前記所定の第二の演算の逆演算ｆ５ｉは、前記第二の演算結果から前記識別情報と前記ランダムナンバーを用いて、前記変形された前記設定情報を元に戻す演算、すなわち、ａ５＝ｆ５ｉ（Ｆ５ｒ、ｂ５、ｃ５）である、
ことを特徴とする請求項７記載の通信システム。
【請求項９】
前記第一の無線通信装置は、前記設定情報に対する前記第二の演算結果を前記第二の無線通信装置に送信した後に、前記第二の無線通信装置から、前記近接通信により、前記第二の無線通信装置の前記識別情報と前記ランダムナンバーを受信した場合、この受信の後から、前記第二の無線通信装置以外の他の無線通信装置から、前記近接通信により、前記他の無線通信装置の前記識別情報と前記ランダムナンバーの受信を受け付ける、
ことを特徴とする請求項７又は８記載の通信システム。
【請求項１０】
前記識別情報は、自身の通信システムに含まれる複数の装置に重複なく予め定めた番号、ＭＡＣ（Ｍｅｄｉａ  Ａｃｃｅｓｓ  Ｃｏｎｔｒｏｌ）アドレスを含む、
ことを特徴とする請求項１から９のうちの一項に記載の通信システム。
【発明の詳細な説明】
【技術分野】
【０００１】
本発明は、通信システム及通信方法に関し、設定情報を設定する通信システム及通信方法に関する。
【背景技術】
【０００２】
無線ＬＡＮ（Ｌｏｃａｌ  Ａｒｅａ  Ｎｅｔｗｏｒｋ）通信を行う無線通信装置等の子機が無線アクセスポイント等の親機へ接続し通信を確立するためには親機との接続を確立するために必要な情報を示す設定情報を子機に設定する必要がある。設定情報は、無線アクセスポイントの識別子（ＳＳＩＤ：Ｓｅｒｖｉｃｅ  Ｓｅｔ  ＩＤｅｎｔｉｆｉｅｒ）、暗号化されたデータを解読するための暗号化キー等を含む。子機はこの設定情報を用いてＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１で規定された無線ＬＡＮ規格によって親機との通信を確立する。
【０００３】
子機に設定情報を設定する技術が特許文献１に開示されている。特許文献１に開示の無線通信制御システムは、無線通信装置Ａと、無線通信装置Ｂとを有する。
【０００４】
無線通信装置Ａが親機、無線通信装置Ｂが子機に対応している。無線通信装置Ａは、無線ＬＡＮ通信の起動操作に基づき、無線ＬＡＮ通信の確立に必要な設定情報を生成する。そして、無線通信装置Ａは、無線ＬＡＮ通信の接続要求（設定情報を含む）を、例えば、赤外線通信、ブルートゥースを含む近接通信方式等による通信を行う第２無線送受信部を介して無線通信装置Ｂに送信する。
【０００５】
無線通信装置Ｂは、近接通信方式等による通信により、無線通信装置Ａから送信された無線ＬＡＮ通信の接続要求を受信する。そして、無線通信装置Ｂは、接続要求に含まれている無線ＬＡＮ通信の確立に必要な設定情報を、設定項目設定部に設定する。そして、無線通信装置Ｂは、設定項目設定部に設定された各設定項目の設定情報を用いて、無線ＬＡＮインターフェースである第１無線送受信部を介して、無線通信装置Ａとの無線ＬＡＮ通信を確立する。
【先行技術文献】
【特許文献】
【０００６】
【特許文献１】特開２０１０−５０９０５号公報
【発明の概要】
【発明が解決しようとする課題】
【０００７】
上述した特許文献１に記載の無線通信制御システムは、無線通信装置Ａから近接通信方式により設定情報を無線通信装置Ｂに送り、無線通信装置Ｂがこの設定情報を用いて無線通信装置Ａとの間で無線ＬＡＮ通信を確立している。このため、この無線通信制御システムは、設定情報を、近接通信方式で送っているとしても、システムと関係の無い他の無線通信装置が無線通信装置Ａの近くにあれば、この他の無線通信装置に設定情報が送られ、この他の無線通信装置に設定情報が盗まれるおそれがある。このため、特許文献１に記載の無線通信制御システムに開示の技術は、近くにいるシステムと関係の無い他の無線通信装置に設定情報が盗まれるおそれがあるという問題がある
本発明の目的は、上記課題を解決して、近くにシステムと関係の無い他の無線通信装置がいても、この他の無線通信装置に設定情報が盗まれるおそれのない通信システムおよび通信方法を提供することである。
【課題を解決するための手段】
【０００８】
本発明の通信システムは、近接通信と無線ＬＡＮ通信との通信方式を有する無線通信装置間を通信する通信システであって、自身の第二の無線通信装置を識別するための識別情報を前記近接通信により送信し、自身の前記識別情報が含まれた前記無線ＬＡＮ通信の管理フレームを受信し、自身の前記識別情報を受けたことを示す識別情報受信情報を含んだ前記管理フレームを送信し、前記無線ＬＡＮ通信のデータフレームの送受信を行うために必要なパラメータを含む設定情報に対して行われた所定の演算の演算結果を含んだ前記管理フレームを受信し、この受信した演算結果を前記所定の演算の逆演算により戻して前記設定情報を取得しこの取得した前記設定情報を自身の第二の無線通信装置に設定する第二の無線通信装置と、前記第二の無線通信装置から前記識別情報を前記近接通信により受信し、この受信した前記識別情報を含んだ前記管理フレームを送信し、前記識別情報受信情報が含まれた前記管理フレームを受信し、予め備えた前記設定情報に対して前記所定の演算を行いこの前記演算結果を前記管理フレームに含めて送信する第一の無線通信装置と、を備えている。
【発明の効果】
【０００９】
本発明によれば、近くにシステムと関係の無い他の無線通信装置がいても、この他の無線通信装置に設定情報が盗まれるおそれのない通信システムおよび通信方法を提供することができる。
【図面の簡単な説明】
【００１０】
【図１】本発明の第１の実施の形態に係る通信システムの一例を示す図である。
【図２】本発明の第１の実施の形態に係る通信システムの動作の一例を示すフローチャートである。
【図３】本発明の第２の実施の形態に係る通信システムの一例を示す図である。
【図４】本発明の第３の実施の形態に係る通信システムの一例を示す図である。
【図５】本発明の第３の実施の形態に係る通信システムの動作の一例を示すフローチャートである。
【図６】本発明の第４の実施の形態に係る通信システムの一例を示す図である。
【図７】本発明の第５の実施の形態に係る通信システムの一例を示す図である。
【図８】本発明の第５の実施の形態に係る通信システムの動作の一例を示すフローチャートである。
【図９】本発明の第６の実施の形態に係る通信システムの一例を示す図である。
【発明を実施するための形態】
【００１１】
次に、本発明の実施の形態について図面を参照して説明する。
（第１の実施の形態）
図１は、本発明の第１の実施の形態に係る通信システムの一例を示す図である。
【００１２】
本実施の形態に係る通信システム１は、第一の無線通信装置２と、第二の無線通信装置３とにより構成される。
【００１３】
本通信システム１は、近接通信４と無線ＬＡＮ通信５との通信方式により無線通信装置間を通信するシステムである。近接通信４とは、例えば、赤外線通信、ブルートゥース等である。近接通信方式は、この方式を備えた無線通信装置の近くに多くの他の無線通信装置があっても、通信を望む無線通信装置との間で比較的容易に通信することができる。これは、近接通信方式による通信可能な範囲が狭いので、通信を望む無線通信装置間での通信時に、通信可能な範囲以外にある他の多くの無線通信装置との通信を省略することができるためである。無線ＬＡＮ通信５は、例えば、ＩＥＥＥ８０２．１１で規定された無線ＬＡＮ規格によった通信である。無線通信装置間の無線ＬＡＮ通信５は、無線通信装置間で管理フレーム６（不図示）により通信に必要な情報のやり取りを行い、その後、データフレームにより通常のデータ通信を行う。
【００１４】
第一の無線通信装置２は親機であり、近接通信４と無線ＬＡＮ通信５との通信方式により通信する、例えば、アクセスポイントである。
【００１５】
第二の無線通信装置３は子機であり、第一の無線通信装置２と同様、近接通信４と無線ＬＡＮ通信５との通信方式により通信する。そして、第一の無線通信装置２から無線ＬＡＮ通信５のデータフレームにより通信を行うために必要なパラメータを含む設定情報を受けて自身の装置に設定し、設定後、第一の無線通信装置２とデータフレームによりデータ通信を行う。必要なパラメータとは、例えば、無線アクセスポイントの識別子（ＳＳＩＤ：Ｓｅｒｖｉｃｅ  Ｓｅｔ  ＩＤｅｎｔｉｆｉｅｒ）、暗号化されたデータを解読するための暗号化キー等である。
【００１６】
第二の無線通信装置３は、自身の第二の無線通信装置３を識別するための識別情報を近接通信４により第一の無線通信装置２に送信し、自身の識別情報が含まれた無線ＬＡＮ通信５の管理フレーム６を第一の無線通信装置２から受信する。識別情報は、例えば、自身の通信システム１に含まれる複数の装置に重複なく予め定めた番号、ＭＡＣ（Ｍｅｄｉａ  Ａｃｃｅｓｓ  Ｃｏｎｔｒｏｌ）アドレスを含む。そして、自身の識別情報を受けたことを示す識別情報受信情報を含んだ管理フレーム６を送信し、無線ＬＡＮ通信５のデータフレームの送受信を行うために必要な設定情報に対して行われた所定の演算（ｆ１）の演算結果を含んだ管理フレーム６を第一の無線通信装置２から受信する。第一の無線通信装置２は、所定の演算（ｆ１）を予め備え、設定情報に対してこの所定の演算（ｆ１）を行い、演算結果を含んだ管理フレーム６を第二の無線通信装置３に送信する。設定情報に対して行う所定の演算（ｆ１）とは、識別情報を用いて設定情報を変形させる演算、すなわち、Ｆ１ｒ＝ｆ１（ａ１、ｂ１）（但し、Ｆ１ｒは演算結果、ａ１は設定情報、ｂ１は識別情報）である。ｆ１は、識別情報により設定情報を変形させることができればどのような演算であっても良い。
【００１７】
そして、第二の無線通信装置３は、この受信した演算結果を、所定の演算の逆演算（ｆ１ｉ）により戻して設定情報を取得しこの取得した設定情報を自身の第二の無線通信装置３に設定する。所定の演算の逆演算ｆ１ｉは、第二の無線通信装置３が予め備えている演算であり、第一の無線通信装置２が予め備えている所定の演算（ｆ１）の演算結果から識別情報を用いて、変形された設定情報を元に戻す演算である。すなわち、ａ１＝ｆ１ｉ（Ｆ１ｒ、ｂ１）である。ｆ１ｉのｉはインバースを示し、ｆ１ｉはｆ１の逆演算を示す。したがって、ｆ１は、逆演算が可能な関数が存在し、識別情報により設定情報を変形させることができればどのような関数であっても良い。
【００１８】
第一の無線通信装置２は、第二の無線通信装置３から識別情報を近接通信４により受信し、この受信した識別情報を含んだ管理フレーム６を送信し、識別情報受信情報が含まれた管理フレーム６を第二の無線通信装置３から受信する。そして、予め備えた設定情報に対して所定の演算（ｆ１）を行いこの演算結果を管理フレーム６に含めて送信する。
【００１９】
次に、本発明の第１の実施の形態に係る通信システムの動作を図２を参照して詳細に説明する。
【００２０】
図２は、本発明の第１の実施の形態に係る通信システムの動作の一例を示すフローチャートである。
【００２１】
図２のステップＳ１では、第二の無線通信装置３（子機）が、ユーザにより第一の無線通信装置２（親機）の傍に移動させられる。そして、ユーザの操作に基づいて、自身の装置を識別するための識別情報を近接通信４により送信する。
【００２２】
図２のステップＳ２では、第一の無線通信装置２が、識別情報を近接通信４により第二の無線通信装置３から受信する。
【００２３】
図２のステップＳ３では、第一の無線通信装置２が、ステップＳ２で受信した識別情報を含んだ無線ＬＡＮ通信５の管理フレーム６を周辺へ送信する。すなわち、第一の無線通信装置２（親機）が、第二の無線通信装置３（子機）の識別情報に基づいて第二の無線通信装置３（子機）をサーチする。サーチとは、親機が子機を探し出す動作を示し、ここでは、親機が識別情報を含んだ管理フレーム６を送信し、この識別情報を備えた子機を探し出す動作を示す。
【００２４】
図２のステップＳ４では、第二の無線通信装置３が、管理フレーム６の受信を待ち、管理フレーム６を受信した場合にはステップＳ５へ進む。
【００２５】
図２のステップＳ５では、第二の無線通信装置３が、受信した管理フレーム６に自身の識別情報と同じ識別情報が入っているか否かを調べる。調べた結果、自身の識別情報と同じ識別情報が入っている場合にはステップＳ７へ進む。調べた結果、自身の識別情報と同じ識別情報が入っていない場合にはステップＳ６へ進む。
【００２６】
図２のステップＳ６では、第二の無線通信装置３が、自身の識別情報を受信していないことを示す情報を含んだ管理フレーム６を送信し、ステップＳ４へ戻る。
【００２７】
図２のステップＳ７では、第二の無線通信装置３が、自身の識別情報を受信したことを示す識別情報受信情報を含んだ管理フレーム６を送信する。すなわち、第一の無線通信装置２（親機）によりサーチされた第二の無線通信装置３（子機）が、識別情報受信情報を含んだ管理フレーム６を送信する。
【００２８】
図２のステップＳ８では、第一の無線通信装置２が、管理フレーム６の受信を待ち、管理フレーム６を受信した場合にはステップＳ９へ進む。
【００２９】
図２のステップＳ９では、第一の無線通信装置２が、受信した管理フレーム６に識別情報受信情報が入っているか否かを調べる。調べた結果、識別情報受信情報が入っている場合にはステップＳ１０へ進む。調べた結果、識別情報受信情報が入っていない場合にはステップＳ３へ戻る。
【００３０】
図２のステップＳ１０では、第一の無線通信装置２が、予め備えた設定情報に対して予め備えている所定の演算（ｆ１）を行いこの演算結果を管理フレーム６に含めて送信する。
【００３１】
図２のステップＳ１１では、第二の無線通信装置３が、管理フレーム６の受信を待ち、管理フレーム６を受信した場合にはステップＳ１２へ進む。
【００３２】
図２のステップＳ１２では、第二の無線通信装置３が、ステップＳ１１で送信した管理フレーム６に含まれている演算結果を予め備えている所定の演算の逆演算（ｆ１ｉ）により戻して設定情報を取得する。そして、この取得した設定情報を自身の第二の無線通信装置３に設定する。
【００３３】
これにより、以降、第二の無線通信装置３は無線ＬＡＮのデータフレームにより第一の無線通信装置２とデータ通信することができる。
【００３４】
このように、本発明の第１の実施の形態によれば、第一の無線通信装置２（親機）が、近接通信４に基づいて取得した第二の無線通信装置３（子機）の識別情報を無線ＬＡＮの管理フレーム６に含めて送信する。そして、この識別情報を有する第二の無線通信装置３から識別情報受信情報を受信する。そして、第一の無線通信装置２が、識別情報受信情報の受信後、予め備えた設定情報に対して行った所定の演算の演算結果を管理フレーム６により送信する。そして、第二の無線通信装置３は、この管理フレーム６を受信し、このフレームに含まれる演算結果を所定の演算の逆演算により戻して設定情報を取得し、この取得した設定情報を設定する。
【００３５】
したがって、本発明の第１の実施の形態によれば、第一の無線通信装置２が、近接通信４に基づいて取得した識別情報を有する第二の無線通信装置３から識別情報受信情報を受信した後に、設定情報に対して行った所定の演算の演算結果を管理フレーム６により送信する。そして、第二の無線通信装置３は、この管理フレーム６に含まれる演算結果を所定の演算の逆演算により戻して設定情報を取得して自身の装置に設定する。
【００３６】
このため、本発明の第１の実施の形態によれば、第一の無線通信装置が、近接通信に基づいて取得した識別情報を有する第二の無線通信装置から識別情報受信情報を受信した後に、設定情報に対して所定の演算を行った演算結果を管理フレームにより送信している。このため、近くにシステムと関係の無い他の無線通信装置がいても、この他の無線通信装置に設定情報が盗まれるおそれがない。
（第２の実施の形態）
図３は、本発明の第２の実施の形態に係る通信システムの一例を示す図である。
【００３７】
この図３には、第一の無線通信装置２（親機）に接続を希望する他の無線通信装置７も記載してある。この他の無線通信装置７も第二の無線通信装置３（子機）と同様に子機であり、第二の無線通信装置３と同様、近接通信４と無線ＬＡＮ通信５との通信方式により通信する。
【００３８】
本第２の実施の形態は、第１の実施の形態の通信システム１の動作に他の動作を付加したものである。したがって、主に第１の実施の形態と相違する部分について説明する。
【００３９】
本実施の形態に係る通信システム１は、第一の無線通信装置２と、第二の無線通信装置３とにより構成される。
【００４０】
第一の無線通信装置２は、設定情報に対する演算結果を第二の無線通信装置３にすでに送信している場合、第二の無線通信装置３以外の他の無線通信装置７から、近接通信４により、他の無線通信装置７の識別情報を受信した際、この受信を無視する。第一の無線通信装置２は、設定情報に対する演算結果を第二の無線通信装置３にすでに送信している場合は、この設定情報を設定した第二の無線通信装置３（子機）を帰属している。
【００４１】
そして、第一の無線通信装置２は、設定情報に対する演算結果を送信した後に、第二の無線通信装置３からこの装置の識別情報を近接通信４により受信した場合、この受信の後から、他の無線通信装置７からの近接通信４による識別情報の受信を受け付ける。
【００４２】
その後、他の無線通信装置７は、第１の実施の形態で説明した第二の無線通信装置３と同様の手順を踏むことにより、無線ＬＡＮのデータフレームにより第一の無線通信装置２とデータ通信することができるようになる。
【００４３】
このように、本発明の第２の実施の形態には、第１の実施の形態で獲得された効果に加え、以下の効果がある。すなわち、本発明の第２の実施の形態によれば、第一の無線通信装置２（親機）は、設定情報に対する演算結果を第二の無線通信装置３（子機）にすでに送信している場合、他の無線通信装置７（子機）からの近接通信４による識別情報の受信を無視する。そして、第一の無線通信装置２は、設定情報に対する演算結果を送信した後に、第二の無線通信装置３から識別情報を近接通信４により受信した場合、この受信の後から、他の無線通信装置７からの近接通信４による識別情報の受信を受け付ける。
【００４４】
このため、本発明の第２の実施の形態によれば、第一の無線通信装置２（親機）は、２台目以降の無線通信装置（子機）を帰属する場合、次のようにしている。すなわち、すでに帰属している１台目の無線通信装置（子機）から近接通信４により識別情報を受けた場合に、１台目の無線通信装置（子機）の場合と同様の手順により２台目以降の無線通信装置（子機）に設定情報を送信する。このように、第一の無線通信装置２（親機）は、２台目以降の無線通信装置（子機）を帰属する場合、より厳重な手順を踏んで２台目以降の無線通信装置（子機）に設定情報を送信する。
【００４５】
このため、本発明の第２の実施の形態によれば、近くにいる本システムとは関係のない他の無線通信装置等からの意図しない近接通信による識別情報を受けても、第一の無線通信装置（親機）は設定情報を送信する上記手順を開始することがない。このため、近くにシステムと関係の無い他の無線通信装置がいても、この他の無線通信装置に設定情報が盗まれることがより少なくなる。
（第３の実施の形態）
図４は、本発明の第３の実施の形態に係る通信システムの一例を示す図である。
【００４６】
本実施の形態に係る通信システム８は、第一の無線通信装置９と、第二の無線通信装置１０とにより構成される。
【００４７】
本通信システム８は、本発明の第１の実施の形態と同様、近接通信４と無線ＬＡＮ通信５との通信方式により無線通信装置間を通信するシステムである。第一の無線通信装置９は親機であり、本発明の第１の実施の形態と同様、近接通信４と無線ＬＡＮ通信５との通信方式により通信する、例えば、アクセスポイントである。第二の無線通信装置１０は子機であり、本発明の第１の実施の形態と同様、近接通信４と無線ＬＡＮ通信５との通信方式により通信する。そして、本発明の第１の実施の形態と同様、第一の無線通信装置９から無線ＬＡＮ通信５のデータフレームにより通信を行うために必要なパラメータを含む設定情報を受けて自身の装置に設定し、設定後、第一の無線通信装置９とデータフレームによりデータ通信を行う。
【００４８】
第二の無線通信装置１０は、自身の第二の無線通信装置１０を識別するための第一の識別情報と第二の識別情報とを近接通信４により送信し、自身の第一の識別情報が含まれた無線ＬＡＮ通信５の管理フレーム６を受信する。第一の識別情報は、例えば、自身の通信システム８に含まれる複数の装置に重複なく予め定めた番号、ＭＡＣアドレスを含む。第二の識別情報は、例えば、第一の識別情報を変形したものである。そして、自身の第一の識別情報を受けたことを示す識別情報受信情報を含んだ管理フレーム６を送信し、第一の識別情報と第二の識別情報とを用いて所定の第一の演算（ｆ２）を行いこの第一の演算結果を格納する。所定の第一の演算（ｆ２）とは、第二の識別情報を用いて第一の識別情報を変形させる演算、すなわち、Ｆ２ｒ＝ｆ２（ａ２、ｂ２）（但し、Ｆ２ｒは第一の演算結果、ａ２は第一の識別情報、ｂ２は第二の識別情報）である。ｆ２は、第二の識別情報により第一の識別情報を変形させることができればどのような演算であっても良い。
【００４９】
そして、第二の無線通信装置１０は、第一の演算結果を含んだ管理フレーム６を受信し、この受信した第一の演算結果と、格納した第一の演算結果とが一致する場合、一致したことを示す一致情報を含んだ管理フレーム６を送信する。そして、無線ＬＡＮ通信５のデータフレームの送受信を行うために必要なパラメータ含む設定情報に対して行われた所定の第二の演算（ｆ３）の第二の演算結果を含んだ管理フレーム６を受信する。所定の第二の演算ｆ３とは、第一の識別情報と第二の識別情報を用いて設定情報を変形させる演算、すなわち、Ｆ３ｒ＝ｆ３（ａ３、ｂ３、ｃ３）（但し、Ｆ３ｒは第二の演算結果、ａ３は設定情報、ｂ３は第一の識別情報、ｃ３は第二の識別情報、）である。ｆ３は、第一の識別情報と第二の識別情報により設定情報を変形させることができればどのような演算であっても良い。
【００５０】
そして、この受信した第二の演算結果を所定の第二の演算の逆演算により戻して設定情報を取得しこの取得した設定情報を自身の第二の無線通信装置１０に設定する。所定の第二の演算の逆演算ｆ３ｉとは、第二の演算結果から第一の識別情報と第二の識別情報を用いて、変形された設定情報を元に戻す演算、すなわち、ａ３＝ｆ３ｉ（Ｆ３ｒ、ｂ３、ｃ３）である。ｆ３ｉのｉはインバースを示し、ｆ３ｉはｆ３の逆演算を示す。したがって、ｆ３は、逆演算が可能な関数が存在し、第一の識別情報と第二の識別情報により設定情報を変形させることができればどのような関数であっても良い。
【００５１】
第一の無線通信装置９は、第二の無線通信装置１０から第一の識別情報と第二の識別情報とを近接通信４により受信し、この受信した第一の識別情報を含んだ管理フレーム６を送信し、識別情報受信情報が含まれた管理フレーム６を受信する。そして、第一の識別情報と第二の識別情報とにより所定の第一の演算（ｆ２）を行い、この第一の演算結果を含んだ管理フレーム６を送信する。そして、一致情報が含まれた管理フレーム６を受信し、予め備えた設定情報に対して所定の第二の演算（ｆ３）を行いこの第二の演算結果を含んだ管理フレーム６を送信する。
【００５２】
次に、本発明の第３の実施の形態に係る通信システムの動作を図５を参照して詳細に説明する。
【００５３】
図５は、本発明の第３の実施の形態に係る通信システムの動作の一例を示すフローチャートである。
【００５４】
図５のステップＳ１では、第二の無線通信装置１０（子機）が、ユーザにより第一の無線通信装置９（親機）の傍に移動させられる。そして、ユーザの操作に基づいて、自身の装置を識別するための第一の識別情報と第二の識別情報とを近接通信４により送信する。
【００５５】
図５のステップＳ２では、第一の無線通信装置９が、第一の識別情報と第二の識別情報とを近接通信４により第二の無線通信装置１０から受信する。
【００５６】
図５のステップＳ３では、第一の無線通信装置９が、ステップＳ２で受信した第一の識別情報を含んだ無線ＬＡＮ通信５の管理フレーム６を周辺に送信する。すなわち、第一の無線通信装置９（親機）が、第二の無線通信装置（子機）の第一の識別情報に基づいて第二の無線通信装置（子機）をサーチする。
【００５７】
図５のステップＳ４では、第二の無線通信装置１０が、管理フレーム６の受信を待ち、管理フレーム６を受信した場合にはステップＳ５へ進む。
【００５８】
図５のステップＳ５では、第二の無線通信装置１０が、受信した管理フレーム６に自身の第一の識別情報と同じ識別情報が入っているか否かを調べる。調べた結果、自身の第一の識別情報と同じ識別情報が入っている場合にはステップＳ７へ進む。調べた結果、自身の第一の識別情報と同じ識別情報が入っていない場合にはステップＳ６へ進む。
【００５９】
図５のステップＳ６では、第二の無線通信装置１０が、自身の第一の識別情報を受信していないことを示す情報を含んだ管理フレーム６を送信し、ステップＳ４へ戻る。
【００６０】
図５のステップＳ７では、第二の無線通信装置１０が、自身の第一の識別情報を受信したことを示す識別情報受信情報を含んだ管理フレーム６を送信する。すなわち、第一の無線通信装置９（親機）によりサーチされた第二の無線通信装置１０（子機）が、識別情報受信情報を含んだ管理フレーム６を送信する。
【００６１】
図５のステップＳ８では、第二の無線通信装置１０が、自身の第一の識別情報と第二の識別情報とを用いて予め備えている所定の第一の演算（ｆ２）を行い第一の演算結果を格納する。
【００６２】
図５のステップＳ９では、第一の無線通信装置９が、管理フレーム６の受信を待ち、管理フレーム６を受信した場合にはステップＳ１０へ進む。
【００６３】
図５のステップＳ１０では、第一の無線通信装置９が、受信した管理フレーム６に識別情報受信情報が入っているか否かを調べる。調べた結果、識別情報受信情報が入っている場合にはステップＳ１１へ進む。調べた結果、識別情報受信情報が入っていない場合にはステップＳ３へ戻る。
【００６４】
図５のステップＳ１１では、第一の無線通信装置９が、第一の識別情報と第二の識別情報とを用いて予め備えている所定の第一の演算（ｆ２）を行いこの第一の演算結果を含んだ管理フレーム６を送信する。
【００６５】
図５のステップＳ１２では、第二の無線通信装置１０が、管理フレーム６の受信を待ち、管理フレーム６を受信した場合にはステップＳ１３へ進む。
【００６６】
図５のステップＳ１３では、第二の無線通信装置１０が、受信した管理フレーム６に含まれる第一の演算結果と、ステップＳ８で格納した第一の演算結果とが一致するか否かを調べる。調べた結果、第一の演算結果が一致する場合にはステップＳ１５へ進む。調べた結果、第一の演算結果が一致しない場合にはステップＳ１４へ進む。
【００６７】
図５のステップＳ１４では、第二の無線通信装置１０が、第一の演算結果が一致しないことを示す不一致情報を含んだ管理フレーム６を送信しステップＳ４へ戻る。
【００６８】
図５のステップＳ１５では、第二の無線通信装置１０が、第一の演算結果が一致したことを示す一致情報を含んだ管理フレーム６を送信する。
【００６９】
図５のステップＳ１６では、第一の無線通信装置９が、管理フレーム６の受信を待ち、管理フレーム６を受信した場合にはステップＳ１７へ進む。
【００７０】
図５のステップＳ１７では、第一の無線通信装置９が、受信した管理フレーム６に一致情報が入っているか否かを調べる。調べた結果、一致情報が入っている場合にはステップＳ１８へ進む。調べた結果、一致情報が入っていない場合にはステップＳ３へ戻る。
【００７１】
図５のステップＳ１８では、第一の無線通信装置９（親機）が、予め備えた設定情報に対して予め備えた所定の第二の演算（ｆ３）を行い、この演算の第二の演算結果を含んだ管理フレーム６を送信する。
【００７２】
図５のステップＳ１９では、第二の無線通信装置１０が、管理フレーム６の受信を待ち、管理フレーム６を受信した場合にはステップＳ２０へ進む。
【００７３】
図５のステップＳ２０では、第二の無線通信装置１０が、ステップＳ１９で受信した管理フレーム６に含まれている第二の演算結果を予め備えている所定の演算の逆演算（ｆ３ｉ）により戻して設定情報を取得する。そして、この取得した設定情報を自身の第二の無線通信装置１０に設定する。
【００７４】
これにより、以降、第二の無線通信装置１０は無線ＬＡＮのデータフレームにより第一の無線通信装置９とデータ通信することができる。
【００７５】
このように、本発明の第３の実施の形態によれば、第一の無線通信装置９（親機）が、近接通信４に基づいて取得した第二の無線通信装置１０（子機）の第一の識別情報を無線ＬＡＮの管理フレーム６に含めて送信する。そして、この第一の識別情報を有する第二の無線通信装置１０から識別情報受信情報を受信する。そして、第一の無線通信装置９が、識別情報受信情報の受信後、設定情報に対して行った所定の演算の演算結果を管理フレーム６により送信する。そして、第二の無線通信装置１０は、この管理フレーム６を受信し、このフレームに含まれる演算結果を所定の演算の逆演算により戻して設定情報を取得し、この取得した設定情報を設定する。
【００７６】
したがって、本発明の第３の実施の形態によれば、第一の無線通信装置９が、近接通信４に基づいて取得した第一の識別情報を有する第二の無線通信装置１０から識別情報受信情報を受信した後に、設定情報に対して行った所定の演算の演算結果を管理フレーム６により送信する。そして、第二の無線通信装置１０は、この管理フレーム６に含まれる演算結果を所定の演算の逆演算により戻して設定情報を取得して自身の装置に設定する。
【００７７】
このため、本発明の第３の実施の形態によれば、第一の無線通信装置が、近接通信に基づいて取得した第一の識別情報を有する第二の無線通信装置から識別情報受信情報を受信した後に、設定情報に対して所定の演算を行った演算結果を管理フレームにより送信している。このため、近くにシステムと関係の無い他の無線通信装置がいても、この他の無線通信装置に設定情報が盗まれるおそれがない。
【００７８】
また、本発明の第３の実施の形態によれば、第一の無線通信装置９と第二の無線通信装置１０とがそれぞれ第一の識別情報と第二の識別情報とを用いて所定の第一の演算（ｆ２）を行い。そして、これらの演算結果が一致するときのみ、第一の無線通信装置９が設定情報を第二の無線通信装置１０に送るようにしている。このため、第二の無線通信装置が送るべき無線通信装置であるか否かをより厳密に確認しているので、近くにシステムと関係の無い他の無線通信装置がいても、この他の無線通信装置に設定情報が盗まれることがより少なくなる。
（第４の実施の形態）
図６は、本発明の第４の実施の形態に係る通信システムの一例を示す図である。
【００７９】
この図６には、第一の無線通信装置９（親機）に接続を希望する他の無線通信装置１１も記載してある。この他の無線通信装置１１も第二の無線通信装置１０（子機）と同様に子機であり、第二の無線通信装置１０と同様、近接通信４と無線ＬＡＮ通信５との通信方式により通信する。
【００８０】
本第４の実施の形態は、第３の実施の形態の通信システム８の動作に他の動作を付加したものである。したがって、主に第３の実施の形態と相違する部分について説明する。
【００８１】
本実施の形態に係る通信システム８は、第一の無線通信装置９と、第二の無線通信装置１０とにより構成される。
【００８２】
第一の無線通信装置９は、設定情報に対する第二の演算結果を第二の無線通信装置１０にすでに送信している場合、第二の無線通信装置１０以外の他の無線通信装置１１から、近接通信４により、他の無線通信装置１１の第一の識別情報と第二の識別情報を受信した際、この受信を無視する。第一の無線通信装置９は、設定情報に対する第二の演算結果を第二の無線通信装置１０にすでに送信している場合は、この設定情報を設定した第二の無線通信装置１０（子機）を帰属している。そして、第一の無線通信装置９は、設定情報に対する第二の演算結果を送信した後に、第二の無線通信装置１０からこの装置の第一の識別情報と第二の識別情報を近接通信４により受信した場合、この受信の後から、他の無線通信装置１１からの近接通信４による第一の識別情報と第二の識別情報の受信を受け付ける。
【００８３】
その後、この他の無線通信装置１１は、第３の実施の形態で説明した第二の無線通信装置１０と同様の手順を踏むことにより、無線ＬＡＮのデータフレームにより第一の無線通信装置９とデータ通信することができるようになる。
【００８４】
このように、本発明の第４の実施の形態には、第３の実施の形態で獲得された効果に加え、以下の効果がある。すなわち、本発明の第４の実施の形態によれば、第一の無線通信装置９（親機）は、設定情報に対する第二の演算結果を第二の無線通信装置１０（子機）にすでに送信している場合、次の受信を無視する。すなわち、他の無線通信装置１１（子機）からの近接通信４による第一の識別情報と第二の識別情報の受信を無視する。そして、第一の無線通信装置９は、設定情報に対する第二の演算結果を送信した後に、第二の無線通信装置１０から第一の識別情報と第二の識別情報を近接通信４により受信した場合、次の受信を受け付ける。すなわち、第一の識別情報と第二の識別情報を受信した後から、他の無線通信装置１１からの近接通信４による第一の識別情報と第二の識別情報の受信を受け付ける。
【００８５】
このため、本発明の第４の実施の形態によれば、第一の無線通信装置９（親機）は、２台目以降の無線通信装置（子機）を帰属する場合、次のようにしている。すなわち、すでに帰属している１台目の無線通信装置（子機）から近接通信４により第一の識別情報と第二の識別情報を受けた場合に、１台目の無線通信装置（子機）の場合と同様の手順により２台目以降の無線通信装置（子機）に設定情報を送信する。このように、第一の無線通信装置９（親機）は、２台目以降の無線通信装置（子機）を帰属する際に、より厳重な手順を踏んで２台目以降の無線通信装置（子機）に設定情報を送信する。
【００８６】
このため、本発明の第４の実施の形態によれば、近くにいる本システムとは関係のない他の無線通信装置等から、意図しない近接通信による第一の識別情報と第二の識別情報を受けても、第一の無線通信装置（親機）は設定情報を送信する上記手順を開始することがない。このため、近くにシステムと関係の無い他の無線通信装置がいても、この他の無線通信装置に設定情報が盗まれることがより少なくなる。
（第５の実施の形態）
図７は、本発明の第５の実施の形態に係る通信システムの一例を示す図である。
【００８７】
本実施の形態に係る通信システム１２は、第一の無線通信装置１３と、第二の無線通信装置１４とにより構成される。
【００８８】
本通信システム１２は、本発明の第１の実施の形態と同様、近接通信４と無線ＬＡＮ通信５との通信方式により無線通信装置間を通信するシステムである。第一の無線通信装置１３は親機であり、本発明の第１の実施の形態と同様、近接通信４と無線ＬＡＮ通信５との通信方式により通信する、例えば、アクセスポイントである。第二の無線通信装置１４は子機であり、本発明の第１の実施の形態と同様、近接通信４と無線ＬＡＮ通信５との通信方式により通信する。そして、本発明の第１の実施の形態と同様、第一の無線通信装置１３から無線ＬＡＮ通信５のデータフレームにより通信を行うために必要なパラメータを含む設定情報を受けて自身の装置に設定し、設定後、第一の無線通信装置１３とデータフレームによりデータ通信を行う。
【００８９】
第二の無線通信装置１４は、自身の第二の無線通信装置１４を識別するための識別情報とランダムに発生させたランダムナンバーとを近接通信４により送信し、自身の識別情報が含まれた無線ＬＡＮ通信５の管理フレーム６を受信する。識別情報は、例えば、自身の通信システム１２に含まれる複数の装置に重複なく予め定めた番号、ＭＡＣアドレスを含む。そして、自身の識別情報を受けたことを示す識別情報受信情報を含んだ管理フレーム６を送信し、ランダムナンバーに対して行われた所定の第一の演算（ｆ４）の第一の演算結果を含んだ管理フレーム６を受信する。所定の第一の演算ｆ４とは、識別情報を用いてランダムナンバーを変形させる演算、すなわち、Ｆ４ｒ＝ｆ４（ａ４、ｂ４）（但し、Ｆ４ｒは第一の演算結果、ａ４はランダムナンバー、ｂ４は識別情報）である。ｆ４は、識別情報を用いてランダムナンバーを変形させることができればどのような演算であっても良い。そして、この受信した第一の演算結果を所定の第一の演算の逆演算（ｆ４ｉ）により戻してランダムナンバーを取得しこの取得したランダムナンバーを含んだ管理フレーム６を送信する。所定の第一の演算の逆演算ｆ４ｉとは、第一の演算結果から識別情報を用いて、変形されたランダムナンバーを元に戻す演算、すなわち、ａ４＝ｆ４ｉ（Ｆ４ｒ、ｂ４）である。ｆ４ｉのｉはインバースを示し、ｆ４ｉはｆ４の逆演算を示す。したがって、ｆ４は、逆演算が可能な関数が存在し、識別情報を用いてランダムナンバーを変形させることができればどのような関数であっても良い。
【００９０】
そして、無線ＬＡＮ通信５のデータフレームの送受信を行うために必要なパラメータを含む設定情報に対して行われた所定の第二の演算（ｆ５）の第二の演算結果を含んだ前記管理フレーム６を受信する。所定の第二の演算ｆ５とは、識別情報とランダムナンバーを用いて設定情報を変形させる演算、すなわち、Ｆ５ｒ＝ｆ５（ａ５、ｂ５、ｃ５）（但し、Ｆ５ｒは第二の演算結果、ａ５は設定情報、ｂ５は識別情報、ｃ５はランダムナンバー）である。ｆ５は、識別情報とランダムナンバーを用いて設定情報を変形させることができればどのような演算であっても良い。
【００９１】
そして、この受信した第二の演算結果を所定の第二の演算の逆演算（ｆ５ｉ）により戻して設定情報を取得しこの取得した設定情報を自身の第二の無線通信装置１４に設定する。所定の第二の演算の逆演算ｆ５ｉとは、第二の演算結果から識別情報とランダムナンバーを用いて、変形された設定情報を元に戻す演算、すなわち、ａ５＝ｆ５ｉ（Ｆ５ｒ、ｂ５、ｃ５）である。ｆ５ｉのｉはインバースを示し、ｆ５ｉはｆ５の逆演算を示す。したがって、ｆ５は、逆演算が可能な関数が存在し、識別情報とランダムナンバーを用いて設定情報を変形させることができればどのような関数であっても良い。
【００９２】
第一の無線通信装置１３は、第二の無線通信装置１４から識別情報とランダムナンバーとを近接通信４により受信し、この受信した識別情報を含んだ管理フレーム６を送信し、識別情報受信情報が含まれた管理フレーム６を受信する。そして、ランダムナンバーに対して所定の第一の演算（ｆ４）を行いこの第一の演算結果を含んだ管理フレーム６を送信する。そして、ランダムナンバーが含まれた管理フレーム６を受信し、この受信したランダムナンバーと近接通信４により受信したランダムナンバーとが一致する場合、予め備えた設定情報に対して所定の第二の演算（ｆ５）を行いこの第二の演算結果を含んだ管理フレーム６を送信する。
【００９３】
次に、本発明の第５の実施の形態に係る通信システムの動作を図８を参照して詳細に説明する。
【００９４】
図８は、本発明の第５の実施の形態に係る通信システムの動作の一例を示すフローチャートである。
【００９５】
図８のステップＳ１では、第二の無線通信装置（子機）が、ユーザにより第一の無線通信装置１３（親機）の傍に移動させられる。そして、ユーザの操作に基づいて、自身の装置を識別するための識別情報とランダムに発生させたランダムナンバーを近接通信４により送信する。
【００９６】
図８のステップＳ２では、第一の無線通信装置１３が、識別情報とランダムナンバーとを近接通信４により第二の無線通信装置１４から受信する。
【００９７】
図８のステップＳ３では、第一の無線通信装置１３が、ステップＳ２で受信した識別情報を含んだ無線ＬＡＮ通信５の管理フレーム６を周辺に送信する。すなわち、第一の無線通信装置１３（親機）が、第二の無線通信装置１４（子機）の識別情報に基づいて第二の無線通信装置１４（子機）をサーチする。
【００９８】
図８のステップＳ４では、第二の無線通信装置１４が、管理フレーム６の受信を待ち、管理フレーム６を受信した場合にはステップＳ５へ進む。
【００９９】
図８のステップＳ５では、第二の無線通信装置１４が、受信した管理フレーム６に自身の識別情報と同じ識別情報が入っているか否かを調べる。調べた結果、自身の識別情報と同じ識別情報が入っている場合にはステップＳ７へ進む。調べた結果、自身の識別情報と同じ識別情報が入っていない場合にはステップＳ６へ進む。
【０１００】
図８のステップＳ６では、第二の無線通信装置１４が、自身の識別情報を受信していないことを示す情報を含んだ管理フレーム６を送信し、ステップＳ４へ戻る。
【０１０１】
図８のステップＳ７では、第二の無線通信装置１４が、自身の識別情報を受信したことを示す識別情報受信情報を含んだ管理フレーム６を送信する。すなわち、第一の無線通信装置１３（親機）によりサーチされた第二の無線通信装置１４（子機）が、識別情報受信情報を含んだ管理フレーム６を送信する。
【０１０２】
図８のステップＳ８では、第一の無線通信装置１３が、管理フレーム６の受信を待ち、管理フレーム６を受信した場合にはステップＳ９へ進む。
【０１０３】
図８のステップＳ９では、第一の無線通信装置１３が、受信した管理フレーム６に識別情報受信情報が入っているか否かを調べる。調べた結果、識別情報受信情報が入っている場合にはステップＳ１０へ進む。調べた結果、識別情報受信情報が入っていない場合にはステップＳ３へ戻る。
【０１０４】
図８のステップＳ１０では、第一の無線通信装置１３が、ステップＳ２で受信したランダムナンバーに対して予め備えた所定の第一の演算（ｆ４）を行いこの演算の第一の演算結果を含んだ管理フレーム６を送信する。
【０１０５】
図８のステップＳ１１では、第二の無線通信装置１４が、管理フレーム６の受信を待ち、管理フレーム６を受信した場合にはステップＳ１２へ進む。
【０１０６】
図８のステップＳ１２では、第二の無線通信装置１４が、ステップＳ１１で受信した管理フレーム６に含まれている第一の演算結果を予め備えている所定の演算の逆演算（ｆ４ｉ）により戻してランダムナンバーを取得する。そして、この取得したランダムナンバーを含んだ管理フレーム６を送信する。
【０１０７】
図８のステップＳ１３では、第一の無線通信装置１３が、管理フレーム６の受信を待ち、管理フレーム６を受信した場合にはステップＳ１４へ進む。
【０１０８】
図８のステップＳ１４では、第一の無線通信装置１３が、受信した管理フレーム６にランダムナンバーが入っているか否かを調べる。調べた結果、ランダムナンバーが入っている場合にはステップＳ１５へ進む。調べた結果、ランダムナンバーが入っていない場合にはステップＳ３へ戻る。
【０１０９】
図８のステップＳ１５では、第一の無線通信装置１３が、ステップＳ１３で受信した管理フレーム６に含まれるランダムナンバーと、ステップＳ２で受信したランダムナンバーが一致するか否かを調べる。調べた結果、ランダムナンバーが一致する場合にはステップＳ１６へ進む。調べた結果、ランダムナンバーが一致しない場合にはステップＳ３へ戻る。
【０１１０】
図８のステップＳ１６では、第一の無線通信装置１３が、予め備えた設定情報に対して予め備えた所定の第二の演算（ｆ５）を行い、この演算の第二の演算結果を含んだ管理フレーム６を送信する。
【０１１１】
図８のステップＳ１７では、第二の無線通信装置１４が、管理フレーム６の受信を待ち、管理フレーム６を受信した場合にはステップＳ１８へ進む。
【０１１２】
図８のステップＳ１８では、第二の無線通信装置１４が、ステップＳ１７で受信した管理フレーム６に含まれている第二の演算結果を予め備えている所定の演算の逆演算（ｆ５ｉ）により戻して設定情報を取得する。そして、この取得した設定情報を自身の第二の無線通信装置１４に設定する。
【０１１３】
これにより、以降、第二の無線通信装置１４は無線ＬＡＮのデータフレームにより第一の無線通信装置１３とデータ通信することができる。
【０１１４】
このように、本発明の第５の実施の形態によれば、第一の無線通信装置１３（親機）が、近接通信４に基づいて取得した第二の無線通信装置１４（子機）の識別情報を無線ＬＡＮの管理フレーム６に含めて送信する。そして、この識別情報を有する第二の無線通信装置１４から識別情報受信情報を受信する。そして、第一の無線通信装置１３が、識別情報受信情報の受信後、設定情報に対して行った所定の演算の演算結果を管理フレーム６により送信する。そして、第二の無線通信装置１４は、この管理フレーム６を受信し、このフレームに含まれる演算結果を所定の演算の逆演算により戻して設定情報を取得し、この取得した設定情報を設定する。
【０１１５】
したがって、本発明の第５の実施の形態によれば、第一の無線通信装置１３が、近接通信４に基づいて取得した識別情報を有する第二の無線通信装置１４から識別情報受信情報を受信した後に、設定情報に対して行った所定の演算の演算結果を管理フレーム６により送信する。そして、第二の無線通信装置１４は、この管理フレーム６に含まれる演算結果を所定の演算の逆演算により戻して設定情報を取得して自身の装置に設定する。
【０１１６】
すなわち、本発明の第５の実施の形態によれば、第一の無線通信装置が、近接通信に基づいて取得した識別情報を有する第二の無線通信装置から識別情報受信情報を受信した後に、設定情報に対して所定の演算を行った演算結果を管理フレームにより送信している。このため、近くにシステムと関係の無い他の無線通信装置がいても、この他の無線通信装置に設定情報が盗まれるおそれがない。
【０１１７】
また、本発明の第５の実施の形態によれば、第一の無線通信装置１３がランダムナンバーに対して行った所定の第一の演算の第一の演算結果を第二の無線通信装置１４に送る。そして、第二の無線通信装置１４が、所定の第一の演算の逆演算により第一の演算結果を戻してランダムナンバーを取得しこのランダムナンバーを第一の無線通信装置１３に送る。そして、第一の無線通信装置１３は、この送られたランダムナンバーと、第二の無線通信装置１４から近接通信４により送られたランダムナンバーとが一致する場合、設定情報を第二の無線通信装置１４に送るようにしている。このため、第二の無線通信装置が送るべき無線通信装置であるか否かをより厳密に確認しているので、近くにシステムと関係の無い他の無線通信装置がいても、この他の無線通信装置に設定情報が盗まれることがより少なくなる。
（第６の実施の形態）
図９は、本発明の第６の実施の形態に係る通信システムの一例を示す図である。
【０１１８】
この図９には、第一の無線通信装置１３（親機）に接続を希望する他の無線通信装置１５も記載してある。この他の無線通信装置１５も第二の無線通信装置１４（子機）と同様に子機であり、第二の無線通信装置１４と同様、近接通信４と無線ＬＡＮ通信５との通信方式により通信する。
【０１１９】
本第６の実施の形態は、第５の実施の形態の通信システム１２の動作に他の動作を付加したものである。したがって、主に第５の実施の形態と相違する部分について説明する。
【０１２０】
本実施の形態に係る通信システム１２は、第一の無線通信装置１３と、第二の無線通信装置１４とにより構成される。
【０１２１】
第一の無線通信装置１３は、設定情報に対する第二の演算結果を第二の無線通信装置１４にすでに送信している場合、第二の無線通信装置１４以外の他の無線通信装置１５から、近接通信４により、他の無線通信装置１５の識別情報とランダムナンバーを受信した際、この受信を無視する。第一の無線通信装置１３は、設定情報に対する第二の演算結果を第二の無線通信装置１４にすでに送信している場合は、この設定情報を設定した第二の無線通信装置１４（子機）を帰属している。そして、第一の無線通信装置１３は、設定情報に対する第二の演算結果を送信した後に、第二の無線通信装置１４からこの装置の識別情報とランダムナンバーを近接通信４により受信した場合、この受信の後から、他の無線通信装置１５からの近接通信４による識別情報とランダムナンバーの受信を受け付ける。
【０１２２】
その後、他の無線通信装置１５は、第５の実施の形態で説明した第二の無線通信装置１４と同様の手順を踏むことにより、無線ＬＡＮのデータフレームにより第一の無線通信装置１３とデータ通信することができるようになる。
【０１２３】
このように、本発明の第６の実施の形態には、第５の実施の形態で獲得された効果に加え、以下の効果がある。すなわち、本発明の第６の実施の形態によれば、第一の無線通信装置１３（親機）は、設定情報に対する第二の演算結果を第二の無線通信装置１４（子機）にすでに送信している場合、他の無線通信装置１５（子機）からの近接通信４による識別情報とランダムナンバーの受信を無視する。そして、第一の無線通信装置１３は、設定情報に対する第二の演算結果を送信した後に、第二の無線通信装置１４から識別情報とランダムナンバーを近接通信４により受信した場合、この受信の後から、他の無線通信装置１５からの近接通信４による識別情報とランダムナンバーの受信を受け付ける。
【０１２４】
このため、本発明の第６の実施の形態によれば、第一の無線通信装置１３（親機）は、２台目以降の無線通信装置（子機）を帰属する場合、すでに帰属している１台目の無線通信装置（子機）から近接通信４により識別情報とランダムナンバーを受けた場合に、１台目の無線通信装置（子機）の場合と同様の手順により２台目以降の無線通信装置（子機）に設定情報を送信する。このように、第一の無線通信装置１３（親機）は、２台目以降の無線通信装置（子機）を帰属する場合、より厳重な手順を踏んで２台目以降の無線通信装置（子機）に設定情報を送信する。
【０１２５】
このため、本発明の第６の実施の形態によれば、近くにいる本システムとは関係のない他の無線通信装置等からの意図しない近接通信による識別情報とランダムナンバーを受けても、第一の無線通信装置（親機）は設定情報を送信する上記手順を開始することがない。このため、近くにシステムと関係の無い他の無線通信装置がいても、この他の無線通信装置に設定情報が盗まれることがより少なくなる。
【０１２６】
上記の実施形態の一部または全部は、以下の付記のように記載され得るが、以下には限られない。
（付記１）
近接通信と無線ＬＡＮ通信との通信方式を有する無線通信装置間を通信する通信システであって、
自身の第二の無線通信装置を識別するための識別情報を前記近接通信により送信し、自身の前記識別情報が含まれた前記無線ＬＡＮ通信の管理フレームを受信し、自身の前記識別情報を受けたことを示す識別情報受信情報を含んだ前記管理フレームを送信し、前記無線ＬＡＮ通信のデータフレームの送受信を行うために必要なパラメータを含む設定情報に対して行われた所定の演算の演算結果を含んだ前記管理フレームを受信し、この受信した演算結果を前記所定の演算の逆演算により戻して前記設定情報を取得しこの取得した前記設定情報を自身の第二の無線通信装置に設定する第二の無線通信装置と、
前記第二の無線通信装置から前記識別情報を前記近接通信により受信し、この受信した前記識別情報を含んだ前記管理フレームを送信し、前記識別情報受信情報が含まれた前記管理フレームを受信し、予め備えた前記設定情報に対して前記所定の演算を行いこの前記演算結果を前記管理フレームに含めて送信する第一の無線通信装置と、
を備えたことを特徴とする通信システム。
（付記２）
前記所定の演算ｆ１は、前記識別情報を用いて前記設定情報を変形させる演算、すなわち、Ｆ１ｒ＝ｆ１（ａ１、ｂ１）（但し、Ｆ１ｒは演算結果、ａ１は設定情報、ｂ１は識別情報）であり、
前記所定の演算の逆演算ｆ１ｉは、前記所定の演算の前記演算結果から前記識別情報を用いて前記変形された前記設定情報を元に戻す演算、すなわち、ａ１＝ｆ１ｉ（Ｆ１ｒ、ｂ１）である、
ことを特徴とする付記１記載の通信システム。
（付記３）
前記第一の無線通信装置は、前記設定情報に対する前記演算結果を前記第二の無線通信装置に送信した後に、前記第二の無線通信装置から、前記近接通信により、前記第二の無線通信装置の前記識別情報を受信した場合、この受信の後から、前記第二の無線通信装置以外の他の無線通信装置から、前記近接通信により、前記他の無線通信装置の前記識別情報の受信を受け付ける、
ことを特徴とする付記１又は２記載の通信システム。
（付記４）
前記識別情報は、第一の識別情報と第二の識別情報であり、
前記第二の無線通信装置は、前記第一の識別情報と前記第二の識別情報とを前記近接通信により送信し、自身の前記第一の識別情報が含まれた前記無線ＬＡＮ通信の管理フレームを受信し、自身の前記第一の識別情報を受けたことを示す識別情報受信情報を含んだ前記管理フレームを送信し、前記第一の識別情報と前記第二の識別情報とを用いて所定の第一の演算を行いこの第一の演算結果を格納し、前記第一の演算結果を含んだ前記管理フレームを受信し、この受信した前記第一の演算結果と、前記格納した前記第一の演算結果とが一致する場合、一致したことを示す一致情報を含んだ前記管理フレームを送信し、前記設定情報に対して行われた所定の第二の演算の第二の演算結果を含んだ前記管理フレームを受信し、この受信した前記第二の演算結果を前記所定の第二の演算の逆演算により戻して前記設定情報を取得しこの取得した前記設定情報を自身の第二の無線通信装置に設定し、
前記第一の無線通信装置は、前記第二の無線通信装置から前記第一の識別情報と前記第二の識別情報とを前記近接通信により受信し、この受信した前記第一の識別情報を含んだ前記管理フレームを送信し、前記識別情報受信情報が含まれた前記管理フレームを受信し、前記第一の識別情報と前記第二の識別情報とにより所定の前記第一の演算を行い、この前記第一の演算結果を含んだ前記管理フレームを送信し、前記一致情報が含まれた前記管理フレームを受信し、予め備えた前記設定情報に対して所定の前記第二の演算を行いこの前記第二の演算結果を含んだ前記管理フレームを送信する、
ことを特徴とする付記１に記載の通信システム。
（付記５）
前記所定の第一の演算ｆ２は、前記第二の識別情報を用いて前記第一の識別情報を変形させる演算、すなわち、Ｆ２ｒ＝ｆ２（ａ２、ｂ２）（但し、Ｆ２ｒは第一の演算結果、ａ２は第一の識別情報、ｂ２は第二の識別情報）であり、
前記所定の第二の演算ｆ３は、前記第一の識別情報と前記第二の識別情報を用いて前記設定情報を変形させる演算、すなわち、Ｆ３ｒ＝ｆ３（ａ３、ｂ３、ｃ３）（但し、Ｆ３ｒは第二の演算結果、ａ３は設定情報、ｂ３は第一の識別情報、ｃ３は第二の識別情報、）であり、
前記所定の第二の演算の逆演算ｆ３ｉは、前記第二の演算結果から前記第一の識別情報と前記第二の識別情報を用いて、前記変形された前記設定情報を元に戻す演算、すなわち、ａ３＝ｆ３ｉ（Ｆ３ｒ、ｂ３、ｃ３）である、
ことを特徴とする付記４記載の通信システム。
（付記６）
前記第一の無線通信装置は、前記設定情報に対する前記第二の演算結果を前記第二の無線通信装置に送信した後に、前記第二の無線通信装置から、前記近接通信により、前記第二の無線通信装置の前記第一の識別情報と前記第二の識別情報を受信した場合、この受信の後から、前記第二の無線通信装置以外の他の無線通信装置から、前記近接通信により、前記他の無線通信装置の前記第一の識別情報と前記第二の識別情報の受信を受け付ける、
ことを特徴とする付記４又は５記載の通信システム。
（付記７）
前記第二の無線通信装置は、自身の第二の無線通信装置を識別するための前記識別情報とランダムに発生させたランダムナンバーとを前記第一の無線通信装置に前記近接通信により送信し、自身の前記識別情報が含まれた前記無線ＬＡＮ通信の管理フレームを受信し、自身の前記識別情報を受けたことを示す識別情報受信情報を含んだ前記管理フレームを送信し、前記ランダムナンバーに対して行われた所定の第一の演算の第一の演算結果を含んだ前記管理フレームを受信し、この受信した前記第一の演算結果を前記所定の第一の演算の逆演算により戻して前記ランダムナンバーを取得しこの取得した前記ランダムナンバーを含んだ前記管理フレームを送信し、前記設定情報に対して行われた所定の第二の演算の第二の演算結果を含んだ前記管理フレームを受信し、この受信した第二の演算結果を前記所定の第二の演算の逆演算により戻して前記設定情報を取得しこの取得した前記設定情報を自身の第二の無線通信装置に設定し、
前記第一の無線通信装置は、前記第二の無線通信装置から前記識別情報と前記ランダムナンバーとを前記近接通信により受信し、この受信した前記識別情報を含んだ前記管理フレームを送信し、前記識別情報受信情報が含まれた前記管理フレームを受信し、前記ランダムナンバーに対して前記所定の第一の演算を行いこの前記第一の演算結果を含んだ前記管理フレームを送信し、前記ランダムナンバーが含まれた前記管理フレームを受信し、この受信した前記ランダムナンバーと前記近接通信により受信した前記ランダムナンバーとが一致する場合、予め備えた前記設定情報に対して前記所定の第二の演算を行いこの第二の演算結果を含んだ前記管理フレームを送信する、
ことを特徴とする付記１に記載の通信システム。
（付記８）
前記所定の第一の演算ｆ４は、前記識別情報を用いて前記ランダムナンバーを変形させる演算、すなわち、Ｆ４ｒ＝ｆ４（ａ４、ｂ４）（但し、Ｆ４ｒは第一の演算結果、ａ４はランダムナンバー、ｂ４は識別情報）であり、
前記所定の第一の演算の逆演算ｆ４ｉは、前記第一の演算結果から前記識別情報を用いて、前記変形された前記ランダムナンバーを元に戻す演算、すなわち、ａ４＝ｆ４ｉ（Ｆ４ｒ、ｂ４）であり、
前記所定の第二の演算ｆ５は、前記識別情報と前記ランダムナンバーを用いて前記設定情報を変形させる演算、すなわち、Ｆ５ｒ＝ｆ５（ａ５、ｂ５、ｃ５）（但し、Ｆ５ｒは第二の演算結果、ａ５は設定情報、ｂ５は識別情報、ｃ５はランダムナンバー）であり、
前記所定の第二の演算の逆演算ｆ５ｉは、前記第二の演算結果から前記識別情報と前記ランダムナンバーを用いて、前記変形された前記設定情報を元に戻す演算、すなわち、ａ５＝ｆ５ｉ（Ｆ５ｒ、ｂ５、ｃ５）である、
ことを特徴とする付記７記載の通信システム。
（付記９）
前記第一の無線通信装置は、前記設定情報に対する前記第二の演算結果を前記第二の無線通信装置に送信した後に、前記第二の無線通信装置から、前記近接通信により、前記第二の無線通信装置の前記識別情報と前記ランダムナンバーを受信した場合、この受信の後から、前記第二の無線通信装置以外の他の無線通信装置から、前記近接通信により、前記他の無線通信装置の前記識別情報と前記ランダムナンバーの受信を受け付ける、
ことを特徴とする付記７又は８記載の通信システム。
（付記１０）
前記識別情報は、自身の通信システムに含まれる複数の装置に重複なく予め定めた番号、ＭＡＣ（Ｍｅｄｉａ  Ａｃｃｅｓｓ  Ｃｏｎｔｒｏｌ）アドレスを含む、
ことを特徴とする付記１から９のうちの一項に記載の通信システム。
（付記１１）
近接通信と無線ＬＡＮ通信との通信方式を有する無線通信装置間を通信する通信方法であって、
第二の無線通信装置が、自身の装置を識別するための識別情報を前記近接通信により送信し、
第一の無線通信装置が、前記識別情報を前記近接通信により受信し、この受信した前記識別情報を含んだ前記無線ＬＡＮ通信の管理フレームを送信し、
前記第二の無線通信装置が、この管理フレームを受信し、自身の前記識別情報を受けたことを示す識別情報受信情報を含んだ前記管理フレームを送信し、
前記第一の無線通信装置が、前記識別情報受信情報が含まれた前記管理フレームを受信し、前記無線ＬＡＮ通信のデータフレームの送受信を行うために必要なパラメータを含む設定情報に対して所定の演算を行いこの演算結果を前記管理フレームに含めて送信し、
前記第二の無線通信装置が、前記演算結果を含んだ前記管理フレームを受信し、この受信した前記演算結果を前記所定の演算の逆演算により戻して前記設定情報を取得しこの取得した前記設定情報を設定する、
ことを特徴とする通信方法。
（付記１２）
前記所定の演算ｆ１は、前記識別情報を用いて前記設定情報を変形させる演算、すなわち、Ｆ１ｒ＝ｆ１（ａ１、ｂ１）（但し、Ｆ１ｒは演算結果、ａ１は設定情報、ｂ１は識別情報）であり、
前記所定の演算の逆演算ｆ１ｉは、前記所定の演算の前記演算結果から前記識別情報を用いて前記変形された前記設定情報を元に戻す演算、すなわち、ａ１＝ｆ１ｉ（Ｆ１ｒ、ｂ１）である、
ことを特徴とする付記１１記載の通信方法。
（付記１３）
前記第一の無線通信装置は、前記設定情報に対する前記演算結果を送信した後に、前記第二の無線通信装置から、前記近接通信により、前記第二の無線通信装置の前記識別情報を受信した場合、この受信の後から、前記第二の無線通信装置以外の他の無線通信装置から、前記近接通信により、前記他の無線通信装置の前記識別情報の受信を受け付ける、
ことを特徴とする付記１１又は１２記載の通信方法。
（付記１４）
前記識別情報は、第一の識別情報と第二の識別情報であり、
第二の無線通信装置が、前記第一の識別情報と前記第二の識別情報とを前記近接通信により送信し、
第一の無線通信装置が、前記第一の識別情報と前記第二の識別情報とを前記近接通信により受信し、この受信した前記第一の識別情報を含んだ前記無線ＬＡＮの管理フレームを送信し、
前記第二の無線通信装置が、この管理フレームを受信し、自身の前記第一の識別情報を受けたことを示す識別情報受信情報を含んだ前記管理フレームを送信するとともに、前記第一の識別情報と前記第二の識別情報とを用いて所定の第一の演算を行いこの第一の演算結果を格納し、
前記第一の無線通信装置が、前記識別情報受信情報が含まれた前記管理フレームを受信し、前記第一の識別情報と前記第二の識別情報とを用いて前記所定の第一の演算を行い、この前記第一の演算結果を含んだ前記管理フレームを送信し、
前記第二の無線通信装置が、前記第一の演算結果を含んだ前記管理フレームを受信し、この受信した前記第一の演算結果と、前記格納した前記第一の演算結果とが一致する場合、一致したことを示す一致情報を含んだ前記管理フレームを送信し、
前記第一の無線通信装置が、前記一致情報が含まれた前記管理フレームを受信し、前記設定情報に対して所定の第二の演算を行いこの演算の第二の演算結果を含んだ前記管理フレームを送信し、
前記第二の無線通信装置が、前記第二の演算結果を含んだ前記管理フレームを受信し、この受信した前記第二の演算結果を所定の第二の演算の逆演算により戻して前記設定情報を取得しこの取得した前記設定情報を設定する、
ことを特徴とする付記１１記載の通信方法。
（付記１５）
前記所定の第一の演算ｆ２は、前記第二の識別情報を用いて前記第一の識別情報を変形させる演算、すなわち、Ｆ２ｒ＝ｆ２（ａ２、ｂ２）（但し、Ｆ２ｒは第一の演算結果、ａ２は第一の識別情報、ｂ２は第二の識別情報）であり、
前記所定の第二の演算ｆ３は、前記第一の識別情報と前記第二の識別情報を用いて前記設定情報を変形させる演算、すなわち、Ｆ３ｒ＝ｆ３（ａ３、ｂ３、ｃ３）（但し、Ｆ３ｒは第二の演算結果、ａ３は設定情報、ｂ３は第一の識別情報、ｃ３は第二の識別情報、）であり、
前記所定の第二の演算の逆演算ｆ３ｉは、前記第二の演算結果から前記第一の識別情報と前記第二の識別情報を用いて、前記変形された前記設定情報を元に戻す演算、すなわち、ａ３＝ｆ３ｉ（Ｆ３ｒ、ｂ３、ｃ３）である、
ことを特徴とする付記１４記載の通信方法。
（付記１６）
前記第一の無線通信装置は、前記設定情報に対する前記第二の演算結果を送信した後に、前記第二の無線通信装置から、前記近接通信により、前記第二の無線通信装置の前記第一の識別情報と前記第二の識別情報を受信した場合、この受信の後から、前記第二の無線通信装置以外の他の無線通信装置から、前記近接通信により、前記他の無線通信装置の前記第一の識別情報と前記第二の識別情報の受信を受け付ける、
ことを特徴とする付記１４又は１５記載の通信方法。
（付記１７）
第二の無線通信装置が、自身の装置を識別するための前記識別情報とランダムに発生させたランダムナンバーとを前記近接通信により送信し、
第一の無線通信装置が、前記識別情報と前記ランダムナンバーとを前記近接通信により受信し、この受信した前記識別情報を含んだ前記無線ＬＡＮ通信の管理フレームを送信し、
前記第二の無線通信装置が、この管理フレームを受信し、自身の前記識別情報を受けたことを示す識別情報受信情報を含んだ前記管理フレームを送信し、
前記第一の無線通信装置が、前記識別情報受信情報が含まれた前記管理フレームを受信し、前記ランダムナンバーに対して所定の第一の演算を行いこの演算の第一の演算結果を含んだ前記管理フレームを送信し、
前記第二の無線通信装置が、前記第一の演算結果を含んだ前記管理フレームを受信し、この受信した前記第一の演算結果を前記所定の第一の演算の逆演算により戻して前記ランダムナンバーを取得しこの取得した前記ランダムナンバーを含んだ前記管理フレームを送信し、
前記第一の無線通信装置が、前記ランダムナンバーが含まれた前記管理フレームを受信し、この受信した前記ランダムナンバーと前記近接通信により受信した前記ランダムナンバーとが一致する場合、前記設定情報に対して所定の第二の演算を行いこの演算の第二の演算結果を含んだ前記管理フレームを送信し、
前記第二の無線通信装置が、前記第二の演算結果を含んだ前記管理フレームを受信し、この受信した前記第二の演算結果を前記所定の第二の演算の逆演算により戻して前記設定情報を取得しこの取得した前記設定情報を設定する、
ことを特徴とする付記１１記載の通信方法。
（付記１８）
前記所定の第一の演算ｆ４は、前記識別情報を用いて前記ランダムナンバーを変形させる演算、すなわち、Ｆ４ｒ＝ｆ４（ａ４、ｂ４）（但し、Ｆ４ｒは第一の演算結果、ａ４はランダムナンバー、ｂ４は識別情報）であり、
前記所定の第一の演算の逆演算ｆ４ｉは、前記第一の演算結果から前記識別情報を用いて、前記変形された前記ランダムナンバーを元に戻す演算、すなわち、ａ４＝ｆ４ｉ（Ｆ４ｒ、ｂ４）であり、
前記所定の第二の演算ｆ５は、前記識別情報と前記ランダムナンバーを用いて前記設定情報を変形させる演算、すなわち、Ｆ５ｒ＝ｆ５（ａ５、ｂ５、ｃ５）（但し、Ｆ５ｒは第二の演算結果、ａ５は設定情報、ｂ５は識別情報、ｃ５はランダムナンバー）であり、
前記所定の第二の演算の逆演算ｆ５ｉは、前記第二の演算結果から前記識別情報と前記ランダムナンバーを用いて、前記変形された前記設定情報を元に戻す演算、すなわち、ａ５＝ｆ５ｉ（Ｆ５ｒ、ｂ５、ｃ５）である、
ことを特徴とする付記１７記載の通信方法。
（付記１９）
前記第一の無線通信装置は、前記設定情報に対する前記第二の演算結果を送信した後に、前記第二の無線通信装置から、前記近接通信により、前記第二の無線通信装置の前記識別情報と前記ランダムナンバーを受信した場合、この受信の後から、前記第二の無線通信装置以外の他の無線通信装置から、前記近接通信により、前記他の無線通信装置の前記識別情報と前記ランダムナンバーの受信を受け付ける、
ことを特徴とする付記１７又は１８記載の通信方法。
（付記２０）
前記識別情報は、前記複数の無線通信装置に重複なく予め定めた番号、ＭＡＣアドレスを含む、ことを特徴とする付記１１から１９のうちの一項に記載の通信方法。
【符号の説明】
【０１２７】
１、８、１２  通信システム
２、９、１３  第一の無線通信装置
３、１０、１４  第二の無線通信装置
４    近接通信
５    無線ＬＡＮ通信
６    管理フレーム
７、１１、１５    他の無線通信装置
【図１】
0005635569.tif 000002
【図２】
0005635569.tif 000003
【図３】
0005635569.tif 000004
【図４】
0005635569.tif 000005
【図５】
0005635569.tif 000006
【図６】
0005635569.tif 000007
【図７】
0005635569.tif 000008
【図８】
0005635569.tif 000009
【図９】
0005635569.tif 000010